(57)【要約】【課題】  簡易な構成で秘匿性の高い通信を実現する。【解決手段】  レーザダイオード１４及び分波器１６により、２つの光キャリアを生成する。光変調器１８ａは、送信データで第１の光キャリアを強度変調する。光変調器１８ｂは、遅延回路２４からのダミー信号で第２の光キャリアを強度変調する。光フィルタ２６ａは、光変調器１８ａの出力光信号から光キャリア成分と片方のサイドバンド成分を抽出する。光フィルタ２６ｂは、光変調器１８ｂの出力ダミー光信号から、異なるサイドバンド成分のみを抽出する。光合波器２８は、光フィルタ２６ａ，２６ｂの出力光を合波する。光受信装置４０の光フィルタ４４は、光フィルタ２６ａの出力信号光成分を抽出する。【選択図】  図１
2007088534.tif 000002
【特許請求の範囲】
【請求項１】
第１の光キャリアを使って送信データを搬送するＶＳＢ（残留側波帯）被変調光信号を生成するＶＳＢ被変調光信号生成ステップと、
第２の光キャリアを使ってダミー信号を搬送する光キャリア成分を抑圧されたＳＳＢ（単側波帯）被変調光信号を生成するＳＳＢ被変調光信号生成ステップと、
当該ＶＳＢ被変調光信号と当該ＳＳＢ被変調光信号を合波する合波ステップと、
当該ＶＳＢ被変調光信号と当該ＳＳＢ被変調光信号の合波光を光伝送路に出力する出力ステップと、
当該光伝送路からの当該合波光から当該ＶＳＢ被変調光信号を抽出する抽出ステップと、
抽出した当該ＶＳＢ被変調光信号を電気信号に変換する変換ステップ
とを具備し、
当該第１の光キャリアの波長と当該第２の光キャリアの波長との差が、最大でも、周波数換算値で当該送信データのビットレート以下であることを特徴とするデータ伝送方法。
【請求項２】
当該ＶＳＢ被変調光信号生成ステップが、
第１の光キャリアを当該送信データで変調することにより第１の被変調波を生成するステップと、
当該第１の被変調波から一方のサイドバンドと光キャリア成分を抽出するステップ
とを具備することを特徴とする請求項１に記載のデータ伝送方法。
【請求項３】
当該ＳＳＢ被変調光信号生成ステップが、
第２の光キャリアを当該ダミー信号で変調することにより第２の被変調波を生成するステップと、
当該第２の被変調波からその光キャリア成分を抑圧しつつ一方のサイドバンドの抽出するステップ
とを具備することを特徴とする請求項２に記載のデータ伝送方法。
【請求項４】
更に、単一のレーザ光源の出力光を２分割して、当該第１及び第２の光キャリアを生成するステップを具備することを特徴とする請求項３に記載のデータ伝送方法。
【請求項５】
当該ダミー信号のデータレートが、当該送信データのそれと等しいことを特徴とする請求項１乃至４の何れか１項に記載のデータ伝送方法。
【請求項６】
当該ダミー信号が、当該送信データと同期していることを特徴とする請求項１乃至５の何れか１項に記載のデータ伝送方法。
【請求項７】
更に、
当該送信データからクロックを抽出するステップと、
抽出されたクロックに同期して当該ダミー信号を生成するステップ
とを具備することを特徴とする請求項６に記載のデータ伝送方法。
【請求項８】
更に、当該送信データを遅延して当該ダミー信号を生成するステップを具備することを特徴とする請求項５又は６に記載のデータ伝送方法。
【請求項９】
第１及び第２の光キャリアを生成する光キャリア生成装置（１４，１６；１４ａ，１４ｂ）と、
当該第１の光キャリアを送信データで変調し、当該送信データを搬送するＶＳＢ（残留側波帯）被変調光信号を生成するＶＳＢ被変調光信号生成装置（１８ａ，２６ａ）と、
ダミー信号を発生するダミー信号発生装置（２２，２４ａ）と、
当該第２の光キャリアを当該ダミー信号で変調し、当該ダミー信号を搬送する光キャリア成分を抑圧されたＳＳＢ（単側波帯）被変調光信号を生成するＳＳＢ被変調光信号生成装置（１８ｂ，２６ｂ）と、
当該ＶＳＢ被変調光信号と当該ＳＳＢ被変調光信号を合波する光合波器（２８）と、
当該合波光から当該ＶＳＢ被変調光信号を抽出する光抽出器（４４）と、
抽出した当該ＶＳＢ被変調光信号を電気信号に変換する光／電気変換器（４６）
とを具備し、
当該第１の光キャリアの波長と当該第２の光キャリアの波長との差が、最大でも、周波数換算値で当該送信データのビットレート以下であることを特徴とするデータ伝送システム。
【請求項１０】
当該ＶＳＢ被変調光信号生成装置が、
当該第１の光キャリアを当該送信データで変調することにより第１の被変調波を生成する第１の光変調器（１８ａ）と、
当該第１の被変調波から一方のサイドバンドと光キャリア成分を抽出する第１の光フィルタ（２６ａ）
とを具備することを特徴とする請求項８に記載のデータ伝送システム。
【請求項１１】
当該ＳＳＢ被変調光信号生成装置が、
当該第２の光キャリアを当該ダミー信号で変調することにより第２の被変調波を生成する第２の光変調器（１８ｂ）と、
当該第２の被変調波からその光キャリア成分を抑圧しつつ一方のサイドバンドの抽出する第２の光フィルタ（２６ｂ）
とを具備することを特徴とする請求項９に記載のデータ伝送システム。
【請求項１２】
当該光キャリア生成装置が、
レーザ光源（１４）と、
当該レーザ光源（１４）の出力光を２分割して、当該第１及び第２の光キャリアを生成する光分波器（１６）
とを具備することを特徴とする請求項８乃至１０の何れか１項に記載のデータ伝送システム。
【請求項１３】
当該光キャリア生成装置が、
当該第１の光キャリアを出力する第１のレーザ光源（１４ａ）と、
当該第２の光キャリアを出力する第２のレーザ光源（１４ｂ）
とを具備することを特徴とする請求項８乃至１０の何れか１項に記載のデータ伝送システム。
【請求項１４】
更に、当該送信データからクロックを抽出するクロック抽出装置（２０）を具備し、
当該ダミー信号発生装置（２２）が、当該クロック抽出装置（２０）で抽出されたクロックに従い、当該ダミー信号を発生する
ことを特徴とする請求項８乃至１２の何れか１項に記載のデータ伝送システム。
【請求項１５】
当該ダミー信号発生装置が、当該送信データを遅延する遅延器（２４ａ）からなることを特徴とする請求項８乃至１２の何れか１項に記載のデータ伝送システム。
【請求項１６】
第１及び第２の光キャリアを生成する光キャリア生成装置（１４，１６；１４ａ，１４ｂ）と、
当該第１の光キャリアを送信データで変調し、当該送信データを搬送するＶＳＢ（残留側波帯）被変調光信号を生成するＶＳＢ被変調光信号生成装置（１８ａ，２６ａ）と、
ダミー信号を発生するダミー信号発生装置（２２，２４ａ）と、
当該第２の光キャリアを当該ダミー信号で変調し、当該ダミー信号を搬送する光キャリア成分を抑圧されたＳＳＢ（単側波帯）被変調光信号を生成するＳＳＢ被変調光信号生成装置（１８ｂ，２６ｂ）と、
当該ＶＳＢ被変調光信号と当該ＳＳＢ被変調光信号を合波する光合波器（２８）
とを具備し、
当該第１の光キャリアの波長と当該第２の光キャリアの波長との差が、最大でも、周波数換算値で当該送信データのビットレート以下であることを特徴とする光送信装置。
【請求項１７】
当該ＶＳＢ被変調光信号生成装置が、
当該第１の光キャリアを当該送信データで変調することにより第１の被変調波を生成する第１の光変調器（１８ａ）と、
当該第１の被変調波から一方のサイドバンドと光キャリア成分を抽出する第１の光フィルタ（２６ａ）
とを具備することを特徴とする請求項１５に記載の光送信装置。
【請求項１８】
当該ＳＳＢ被変調光信号生成装置が、
当該第２の光キャリアを当該ダミー信号で変調することにより第２の被変調波を生成する第２の光変調器（１８ｂ）と、
当該第２の被変調波からその光キャリア成分を抑圧しつつ一方のサイドバンドの抽出する第２の光フィルタ（２６ｂ）
とを具備することを特徴とする請求項１６に記載の光送信装置。
【請求項１９】
当該光キャリア生成装置が、
レーザ光源（１４）と、
当該レーザ光源（１４）の出力光を２分割して、当該第１及び第２の光キャリアを生成する光分波器（１６）
とを具備することを特徴とする請求項１５乃至１７の何れか１項に記載の光送信装置。
【請求項２０】
当該光キャリア生成装置が、
当該第１の光キャリアを出力する第１のレーザ光源（１４ａ）と、
当該第２の光キャリアを出力する第２のレーザ光源（１４ｂ）
とを具備することを特徴とする請求項１５乃至１７の何れか１項に記載の光送信装置。
【請求項２１】
更に、当該送信データからクロックを抽出するクロック抽出装置（２０）を具備し、
当該ダミー信号発生装置（２２）が、当該クロック抽出装置（２０）で抽出されたクロックに従い、当該ダミー信号を発生する
ことを特徴とする請求項１５乃至１９の何れか１項に記載の光送信装置。
【請求項２２】
当該ダミー信号発生装置が、当該送信データを遅延する遅延器（２４ａ）からなることを特徴とする請求項１５乃至１９の何れか１項に記載の光送信装置。
【発明の詳細な説明】
【技術分野】
【０００１】
本発明は、データ伝送方法及びシステム、並びに光送信装置に関し、より具体的な秘匿性の高い通信を提供するデータ伝送方法及びシステム並びに光送信装置に関する。
【背景技術】
【０００２】
秘匿性の高い光通信システムとして、特許文献１，２には量子暗号理論による秘匿通信システムが記載され、特許文献３には、レーザの揺らぎを利用する秘匿通信方法として、複数の発振波長で同時発振し、光出力の総和が一定になるように制御されたレーザ光を利用する方法が記載されている。
【特許文献１】特開２００５−０５７３１３号公報
【特許文献２】特開２００５−０１２６３１号公報
【特許文献３】特開２００４−３０２２１０号公報
【発明の開示】
【発明が解決しようとする課題】
【０００３】
何れの方法も、光送信装置及び光受信装置の構成が何れも複雑になる。
【０００４】
本発明は、より簡易な構成で秘匿性の高い通信を実現するデータ伝送方法及びシステム並びに光送信装置を提示することを目的とする。
【課題を解決するための手段】
【０００５】
本発明に係るデータ伝送方法は、第１の光キャリアを使って送信データを搬送するＶＳＢ（残留側波帯）被変調光信号を生成するＶＳＢ被変調光信号生成ステップと、第２の光キャリアを使ってダミー信号を搬送する光キャリア成分を抑圧されたＳＳＢ（単側波帯）被変調光信号を生成するＳＳＢ被変調光信号生成ステップと、当該ＶＳＢ被変調光信号と当該ＳＳＢ被変調光信号を合波する合波ステップと、当該ＶＳＢ被変調光信号と当該ＳＳＢ被変調光信号の合波光を光伝送路に出力する出力ステップと、当該光伝送路からの当該合波光から当該ＶＳＢ被変調光信号を抽出する抽出ステップと、抽出した当該ＶＳＢ被変調光信号を電気信号に変換する変換ステップとを具備し、当該第１の光キャリアの波長と当該第２の光キャリアの波長との差が、最大でも、周波数換算値で当該送信データのビットレート以下であることを特徴とする。
【０００６】
本発明に係るデータ伝送システムは、第１及び第２の光キャリアを生成する光キャリア生成装置と、当該第１の光キャリアを送信データで変調し、当該送信データを搬送するＶＳＢ（残留側波帯）被変調光信号を生成するＶＳＢ被変調光信号生成装置と、ダミー信号を発生するダミー信号発生装置と、当該第２の光キャリアを当該ダミー信号で変調し、当該ダミー信号を搬送する光キャリア成分を抑圧されたＳＳＢ（単側波帯）被変調光信号を生成するＳＳＢ被変調光信号生成装置と、当該ＶＳＢ被変調光信号と当該ＳＳＢ被変調光信号を合波する光合波器と、当該合波光から当該ＶＳＢ被変調光信号を抽出する光抽出器と、抽出した当該ＶＳＢ被変調光信号を電気信号に変換する光／電気変換器とを具備し、当該第１の光キャリアの波長と当該第２の光キャリアの波長との差が、最大でも、周波数換算値で当該送信データのビットレート以下であることを特徴とする。
【０００７】
本発明に係る光送信装置は、第１及び第２の光キャリアを生成する光キャリア生成装置と、当該第１の光キャリアを送信データで変調し、当該送信データを搬送するＶＳＢ（残留側波帯）被変調光信号を生成するＶＳＢ被変調光信号生成装置と、ダミー信号を発生するダミー信号発生装置と、当該第２の光キャリアを当該ダミー信号で変調し、当該ダミー信号を搬送する光キャリア成分を抑圧されたＳＳＢ（単側波帯）被変調光信号を生成するＳＳＢ被変調光信号生成装置と、当該ＶＳＢ被変調光信号と当該ＳＳＢ被変調光信号を合波する光合波器とを具備し、当該第１の光キャリアの波長と当該第２の光キャリアの波長との差が、最大でも、周波数換算値で当該送信データのビットレート以下であることを特徴とする。
【発明の効果】
【０００８】
本発明によれば、送信データを搬送するＶＳＢ被変調光信号に、ダミー信号を搬送するＳＳＢ被変調光信号を合波することで、スペクトル上及び時間波形上で送信データを隠蔽できる。これにより、簡単な構成で秘匿性の高い通信を実現できる。
【発明を実施するための最良の形態】
【０００９】
以下、図面を参照して、本発明の実施例を詳細に説明する。
【実施例１】
【００１０】
図１は、本発明の一実施例の概略構成ブロック図を示す。
【００１１】
光送信装置１０のデータ入力端子１２に送信データが入力する。レーザダイオード１４は、波長λｓのＣＷレーザ光を出力する。分波器１６は、レーザダイオード１４の出力レーザ光を等しい光パワーで２分割し、一方の分割光を光変調器１８ａに、他方の分割光を光変調器１８ｂに印加する。
【００１２】
光変調器１８ａは、入力端子１２からの送信データに従い分波器１６からのレーザ光を強度変調し、送信データを搬送するＮＲＺ光パルス信号を出力する。クロック抽出装置２０は、入力端子１２からの送信データからクロックを抽出し、ダミー信号発生装置２２は、クロック抽出装置２０からのクロックに従い、送信データと同レートのダミー信号を生成する。送信データを隠蔽するために、ダミー信号のレートは、送信データのそれと等しいのが好ましい。ダミー信号生成装置２２で生成されたダミー信号は、遅延回路２４で遅延されて光変調器１８ｂに印加される。光変調器１８ｂは、遅延回路２４からのダミー信号に従い、分波器１６からのレーザ光を強度変調し、ダミー信号を搬送するＮＲＺ光パルス信号を出力する。
【００１３】
光フィルタ２６ａは、光変調器１８ａから出力される光信号から光キャリア成分と片方のサイドバンド成分を抽出する。即ち、光フィルタ２６ａは、光変調器１８ａから出力されるＢＳＢ（両サイドバンド）被変調光からＶＳＢ（残留サイドバンド）被変調光を生成する。図２は、光フィルタ２６ａの透過率と透過前後のスペクトルを示す。横軸は、周波数（波長）を示す。図２（ａ）は、光変調器１８ａの出力光信号、即ち光フィルタ２６ａの入力光のスペクトルを示し、同（ｂ）は、光フィルタ２６ａの透過率特性を示し、同（ｃ）は、光フィルタ２６ａの出力光のスペクトルを示す。図２に示す例では、光フィルタ２６ａは、低周波数（長波長）から信号波長λｓより少し短い波長までの範囲で光を透過する。
【００１４】
他方、光フィルタ２６ｂは、光変調器１８ｂから出力されるダミー光信号から他方のサイドバンド成分のみを抽出する。即ち、光フィルタ２６ｂは、光変調器１８ｂから出力されるＢＳＢ被変調光からキャリア抑圧されたＳＳＢ被変調光を生成する。図３は、光フィルタ２６ｂの透過率と前後のスペクトルを示す。横軸は、周波数（波長）を示す。図３（ａ）は、光変調器１８ｂの出力ダミー信号光、即ち、光フィルタ２６ｂの入力光のスペクトルを示し、同（ｂ）は、光フィルタ２６ｂの透過率特性を示し、同（ｃ）は、光フィルタ２６ｂの出力光のスペクトルを示す。図３に示す例では、光フィルタ２６ａは、信号波長λｓより少し短い波長から短波長側のサイドバンドを透過し、光キャリア成分と長波長側のサイドバンドを抑圧する。
【００１５】
光合波器２８は、光フィルタ２６ａ，２６ｂの出力光を合波する。光合波器２８の出力合波光は、光出力端子３０から光伝送路３２に出力される。
【００１６】
光伝送路３２を伝搬した光は、光受信装置４０の入力端子４２から光フィルタ４４に入力する。光フィルタ４４は、光フィルタ２６ａと同じ透過特性を具備し、入力端子４２からの光から、光キャリア成分と短波長側のサイドバンド成分を抽出する。受光器４６は光フィルタ４６の出力光信号を電気信号に変換する。光フィルタ４４により、光フィルタ２６ａの出力信号光成分、即ち、送信データを搬送する光成分を分離できる。
【００１７】
図４は、合波器２８の入力光と出力光、光フィルタ４４の出力光の各スペクトル例を示す。横軸は周波数（波長）を示す。図４（ａ）は、光フィルタ２６ａの出力光のスペクトルを示す。同（ｂ）は、光フィルタ２６ｂの出力光のスペクトルを示す。同（ｃ）は、合波器２８の出力光のスペクトルを示す。同（ｄ）は、光フィルタ４４の出力光のスペクトルを示す。合波器２８の出力信号光のスペクトルは、見かけ上、図２（ａ）及び図３（ａ）にそれぞれ示す光変調器１８ａ，１８ｂの出力光のスペクトルに近似している。動作上、明らかように、合波器２８の出力信号光は、送信データとダミー信号の両方を搬送する。図４（ｄ）に示すように、光受信装置４０において、光フィルタ２６ａと同じ透過特性の光フィルタ４４によりダミー光信号搬送光成分を除去することにより、送信データを搬送する光成分を抽出できる。
【００１８】
時間領域で見た波形変化例を図５に示す。横軸は時間を示す。図５（ａ）は、光変調器１８ａの出力光、即ち、送信データを搬送する信号光の波形例を示す。図５（ｂ）は、光変調器１８ｂの出力光、即ちダミー信号を搬送する光信号の波形例を示す。図５（ｃ）は、合波器２８の出力光の波形例を示し、図５（ｄ）は光フィルタ４４の出力光の波形を示す。光フィルタ２６ａ，２６ｂ，４４により、時間波形が変形するが、ここでは、そのような波形変化を無視し、矩形パルスとして図示してある。図５（ｃ）から明らかなように、図５（ｃ）に示す時間波形の信号光をそのまま受信した場合、送信データを復元するのは困難である。光受信装置４０において、光伝送路３２からの信号光から、送信データを搬送するサイドバンドと光キャリア成分を光フィルタ４４により抽出すると、図５（ｄ）に示すように、送信データを搬送するＶＳＢ光信号を分離できる。本来、信号波形の劣化があるが、図５（ｄ）に示す波形では、無視してある。
【００１９】
数値シミュレーションにより本実施例の効果を確認した。送信データ及びダミー信号ともに１．２５ＧｂｐｓのＮＲＺ信号とした。光フィルタ２６ａ，４４を、帯域１．０ＧＨｚ、中心周波数をキャリア周波数＋０．５ＧＨｚ、３次のガウシアン型とした。また、光フィルタ２６ｂを、帯域１．０ＧＨｚ、中心周波数をキャリア周波数−０．７ＧＨｚ、３次のガウシアン型とした。ダミー信号として、送信信号との相関係数が０．０３の信号を用いた。その結果、合波器２８の出力光の波形と送信データとの相関係数は０．６７であり、送信データの復元が困難になっている。これに対して、光受信装置４０における光フィルタ４４の出力光の波形と送信データとの相関係数は０．９１であり、送信データを復元できる。
【００２０】
本実施例では、光伝送路３２を伝送する信号光を直接、電気信号に変換すると、送信データとダミー信号の混在した電気信号が得られ、しかも、その電気信号からダミー信号を除去するのは極めて困難又は不可能である。これにより、簡易な構成で高度に秘匿性の高い通信を実現できる。
【実施例２】
【００２１】
第１実施例では、送信データとは異なる信号パターンのダミー信号を使用したが、送信データを遅延させたものをダミー信号としても良い。例えば、送信データを搬送するＶＳＢ光信号と、送信データを整数ビットブ分、遅延したＳＳＢダミー光信号とを合波することで、合波光を電気信号に変換するだけでは、送信データを復元できない。
【００２２】
図６は、第２実施例の光送信装置の概略構成ブロック図を示す。図１と同じ構成要素には同じ符号を付してある。光送信装置１０ａでは、入力端子１０に入力する送信データが、遅延回路２４ａにも供給される。遅延回路２４ａの遅延時間は、好ましくは、送信データの１ビット期間の整数倍である。
【００２３】
本実施例でも、光伝送路３２を伝送する信号光直接、電気信号に変換すると、送信データとこれを遅延したデータの混在した信号が得られ、しかも、光電変換後に両者を分離するのは極めて困難又は不可能である。これにより、簡易な構成で高度に秘匿性の高い通信を実現できる。
【実施例３】
【００２４】
第１実施例では、単一のレーザダイオード１４の出力レーザ光を分波器１６で２分割したが、ほとんど同一波長でレーザ発振するレーザダイオードを２つ用意しても良い。
【００２５】
図７は、その変更実施例の概略構成ブロック図を示す。図１と同じ構成要素には同じ符号を付してある。図７に示す光受信装置１０ｂでは、レーザダイオード１４と分波器１６の代わりに、ほとんど同一波長でレーザ発振するレーザダイオード１４ａ，１４ｂを用意し、レーザダイオード１４ａの出力レーザ光を光変調器１８ａに印加し、レーザダイオード１４ｂの出力レーザ光を光変調器１８ｂに印加する。
【００２６】
２つのレーザ光源を使用する場合、送信データを搬送する光信号の波長と、ダミー信号を搬送する光信号の波長の差を調整できるが、光源数の増加によりコストが増加する。他方、１つのレーザ光源の出力光を２つに分割する場合、光源が１つで済むことでコストを低減できる。送信データを搬送する光信号の波長と、ダミー信号を搬送する光信号の波長が等しくなることは、障害にはならない。
【００２７】
レーザダイオード１４ａのレーザ波長とレーザダイオード１４ｂのレーザ波長との差は、最大でも、周波数換算値で送信データのビットレート以下であればよい。これ以上に波長差が大きくなると、伝送路上の光信号スペクトルが、ダミー信号と送信データで分離してしまい、本実施例の秘匿方法を盗聴者に理解されてしまうからである。
【００２８】
本実施例でも、実施例１，２と同様の作用効果を得ることができる。
【実施例４】
【００２９】
図６に示す第２実施例に対しても、図７に示す実施例と同様に、レーザダイオード１４と分波器１６の代わりに、ほとんど同一波長でレーザ発振する２つのレーザダイオードに使ってもよい。
【実施例５】
【００３０】
ダミー信号のデータレートを送信データのそれと同じにし、且つ、互いに同期させることで、送信データの秘匿度が高くなる。より低い秘匿度で良い場合には、ダミー信号を送信データに同期させなくてもよい。即ち、図１に示す実施例で、クロック抽出回路２０を省略できる。更には、ダミー信号のレートを送信データのそれとは異なる値、例えば、送信データのレートよりも低くしても良い。
【００３１】
ダミー信号のビットレートを送信データのそれと同じにすると、合波器２８の出力光の光スペクトルを左右対称にすることができ、データの秘匿性が高まる。ダミー信号として遅延した送信データを使用する場合、構成が非常に簡略になる。他方、盗聴者にとって、データ信号のビットレートが容易に推測可能である。
【００３２】
ダミー信号のビットレートが送信データのそれとは異なる場合、盗聴者は、ビットレートを推測することが困難となり、より秘匿性が増す。他方、盗聴者が光スペクトルを観測可能である場合、サイドバンドの間隔からデータ信号とダミー信号が多重されていることを理解される恐れがある。
【００３３】
送信データとダミー信号を同期させると、受信装置において、分離したデータ信号のマークレベルおよびスペースレベルが安定するという利点がある。他方、同期のために、光送信装置で一方の信号の遅延時間を調整しなければならない。
【００３４】
送信データとダミー信号を同期させない場合、同期させるための遅延量の調整が不必要になる。他方、受信側では、データ信号の分離が不十分な場合、つまりダミー信号からのクロストークが存在する場合、受信データ信号のマークレベルおよびスペースレベルが不安定になることがある。
【実施例６】
【００３５】
ＣＷレーザダイオードを光源とする実施例１〜５を説明したが、何れの実施例でも、ＣＷ光源レーザダイオードをパルス光源に変更できる。但し、その場合、光変調器１８ａにレーザ光を供給するパルス光源に対しては、送信データからクロックを抽出し、そのクロックで当該パルス光源を駆動する必要がある。また、送信データと同期しないダミー信号のパルス光源に対しては、ダミー信号からクロックを抽出し、そのクロックで当該パルス光源を駆動する必要がある。
【００３６】
ＣＷ光源を使用する場合、クロック抽出回路が不要になり、構成が簡略になる。しかし、ＮＲＺ以外の被変調信号を生成するのが、難しくなる。他方、パルス光源を使用する場合、ＮＲＺ以外の被変調信号を生成するのが容易になるが、クロック抽出回路を設ける必要がある。
【００３７】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【図面の簡単な説明】
【００３８】
【図１】本発明の第１実施例の概略構成ブロック図である。
【図２】光フィルタ２６ａの透過率と前後のスペクトルであって、（ａ）は、光変調器１８ａの出力光信号のスペクトルを示し、同（ｂ）は、光フィルタ２６ａの透過率特性を示し、同（ｃ）は、光フィルタ２６ａの出力光のスペクトルを示す。
【図３】光フィルタ２６ｂの透過率と前後のスペクトルであって、（ａ）は、光変調器１８ｂの出力ダミー信号光のスペクトルを示し、同（ｂ）は、光フィルタ２６ｂの透過率特性を示し、同（ｃ）は、光フィルタ２６ｂの出力光のスペクトルを示す。
【図４】合波器２８の入力光と出力光、光フィルタ４４の出力光の各スペクトル例であって、（ａ）は光フィルタ２６ａの出力光のスペクトルを示し、（ｂ）は光フィルタ２６ｂの出力光のスペクトルを示し、（ｃ）は合波器２８の出力光のスペクトルを示し、（ｄ）は、光フィルタ４４の出力光のスペクトルを示す。
【図５】時間領域で見た波形変化例であって、（ａ）は光変調器１８ａの出力光の波形例を示し、（ｂ）は光変調器１８ｂの出力光の波形例を示し、（ｃ）は、合波器２８の出力光の波形例を示し、（ｄ）は光フィルタ４４の出力光の波形を示す。
【図６】本発明の第２実施例の概略構成ブロック図である。
【図７】本発明の第３実施例の概略構成ブロック図である。
【符号の説明】
【００３９】
１０，１０ａ，１０ｂ：光送信装置
１２：データ入力端子
１４，１４ａ，１４ｂ：レーザダイオード
１６：分波器
１８ａ，１８ｂ：光変調器
２０：クロック抽出装置
２２：ダミー信号発生装置
２４，２４ａ：遅延器
２６ａ，２６ｂ：光フィルタ
２８：光合波器
３０：光出力端子
３２：光伝送路
４０：光受信装置
４２：入力端子
４４：光フィルタ
４６：受光器
【図１】
2007088534.tif 000003
【図２】
2007088534.tif 000004
【図３】
2007088534.tif 000005
【図４】
2007088534.tif 000006
【図５】
2007088534.tif 000007
【図６】
2007088534.tif 000008
【図７】
2007088534.tif 000009